(57)【要約】【課題】バケット開口部が塞がれる時の被覆性を高めて、バケットからこぼれる土砂等の量を少なくし、掘削作業、浚渫作業等を、能率良く、より安全に、作業場所の環境汚染を抑えたかたちで行うことができるパワーショベルを提供する。【解決手段】パワーショベルの、アーム１とバケット２との接合部のパワーショベル本体寄りのアーム部分７に、バケット２が傾動し、バケット開口部９が上を向いたときに、バケット開口部に形成された突起物１２と、蓋８のパワーショベル本体寄りの下辺部に形成された凹部１１が嵌合するかたちで、バケット開口部９を塞ぐ蓋体を設ける。【選択図】図２
2005330793.tif 000002
【特許請求の範囲】
【請求項１】
アームと、アーム先端に装着されたバケットと、蓋体から成るパワーショベルであって、前記バケットは、その開口部に少なくとも一つの突起物を有し、前記蓋体は、そのパワーショベル本体寄りの下辺部に少なくとも一つの凹部を有し、前記蓋体が前記バケットの開口部を塞いだ時に、前記突起物と前記凹部が嵌合することを特徴とするパワーショベル
【請求項２】
上記蓋体は、少なくとも一つの結合具によりアームに固定され、取り外し可能なように設けられる請求項１に記載のパワーショベル
【請求項３】
上記蓋体は、開閉方向に揺動可能なかたちで装着される、請求項１又は、請求項２に記載のパワーショベル
【発明の詳細な説明】
【技術分野】
【０００１】  この発明は、バケット被覆性に優れたパワーショベルに関する。
【背景技術】
【０００２】  従来のパワーショベルには、特許文献１の図２に示すように、アームの先端側下面にバケットの開放側上部を被覆できるカバー体を連接して構成したことを特徴とするものがある。
又、その他に、特許文献２の第１図に示すように、下記のａ）ないしｄ）の構成要素を備えたことを特徴とするバケット内容物飛散防止装置を装着したものがある。
ａ）アームの先端部に支持ピンにより一端部を揺動可能に取付け、他端部をばねによりアームに支持させた第三リンク
ｂ）第三リンクに着脱可能に取付けたバケット内容物飛散防止用蓋
ｃ）第一リンクに固定した上側ストッパ構成体
ｄ）上側ストッパ構成体とストッパを構成し、上側構成体に対して間隔を設けてばねにより保持させ、バケットのほぼ最大すくい角度において第三リンクを下側へ押し下げる下側ストッパ
【特許文献１】実開平２−５０４４５公報
【特許文献２】実開昭６３−１０４４４６公報
【発明の開示】
【発明が解決しようとする課題】
【０００３】  しかしながら、上記従来のパワーショベルでは、バケット開口部をカバー体や蓋でカバーした時においても、バケットの先端部に爪状の突起物がある為に、カバー体や蓋とバケットの開口部との間に隙間が多く残り、バケットが持ち上げたヒューム管等の丸いものを落下させない効果はあっても、土砂等をこぼさない効果は限定的であった。
【課題を解決するための手段】
【０００４】  このため本発明では、バケットの傾動により、バケット開口部が上を向いた時に、バケット開口部のパワーショベル本体寄りの下辺部に、少なくとも一つ設けられた突起物を、蓋体のパワーショベル本体寄りの下辺部に、少なくとも一つ設けた凹部で嵌合させるかたちで、バケット開口部を塞ぐ蓋体を、一例としてパワーショベル本体寄りのアーム部分に、設けた。【０００５】  蓋体とバケット開口部との隙間を少なくするために蓋体を小さくすれば、バケット開口部が蓋体によって塞がれた時に、蓋体によって、利用可能なバケット容量が、一時的に小さくなり、掘削作業や運搬作業等の能率が低下する。また、蓋体が大きすぎれば、蓋体とバケット開口部の間の隙間が多くなり、蓋体のバケット開口部を塞ぐ効果が減じる。バケット開口部のパワーショベル本体寄りの下辺部に設けられた、少なくとも一つの突起物を、パワーショベル本体寄りの蓋体下辺部に設けた、少なくとも一つの凹部で、嵌合させるかたちで、バケット開口部を塞ぐことが、効率的かつ効果的である。
【発明の効果】
【０００６】  本発明は、掘削作業、浚渫作業等において、土砂等を不必要な場所へこぼす量が減り、作業能率の向上、コストの低減、安全性の向上、作業場所の環境汚染の軽減、浚渫作業における水濁りの軽減等、優れた効果を有する。又、蓋体を取り外し可能にすれば、不要なときは、蓋体をアーム部分に固定している結合具を外すことにより、蓋体をアームから簡単に取り外すことができる。
【発明を実施するための最良の形態】
【０００７】  図１に示すように、この発明の実施の形態によるパワーショベルでは、アーム１の先端部に碗型のバケット２が装着されている。バケット２の背面はＨリング３及びメガネリング４を介し、さらにバケットシリンダー５に連結されている。バケットシリンダー５が伸縮すると、その伸縮がＨリング３及びメガネリング４を介し、バケット２に伝わり、バケット２が、矢印６のように、弧を描くように傾動できるようにされている。【０００８】  図１乃至図４に示すように、アーム１とバケット２の接合部のパワーショベル本体寄りのアーム部分７に、バケット用の蓋８を、少なくとも一つの結合具１０により取り付ける。蓋８が不要なときは、結合具１０を外して、蓋８をアーム部分７から取り外すことができる。【０００９】  図２に示すように、蓋８は、バケット開口部９を実際に塞ぐ働きをする台座部分８ａ、その台座部分８ａをアーム部分７に固定する、四角錐部分８ｂ、及び台座８ａの上に形成された翼状の８ｃから成っている。さらに、台座部分８ａは、台座の上板部８ａ−ａと台座の側面部８ａ−ｂから成り、上板部８ａ−ａの下で、台座の側面部８ａ−ｂに囲われた部分は空洞になっている。四角錐部分８ｂは、バケットシリンダー５が伸び、その動きがＨリング３及びメガネリング４を介してバケット２に伝わり、バケット２が弧を描くように動くことによりバケット開口部９が上を向いたときに、台座部分８ａがバケット開口部９を塞ぐように、アーム部分７に、少なくとも一つの結合具１０により固定されている。この形状により、蓋８の作成にあたり、材料となる、例えば鋼材の使用量を節減でき、かつ、蓋８の強度を保つことができる。【００１０】  上記のようなバケットシリンダー５及びＨリング３及びメガネリング４の動きによりバケット２が傾動し、バケット開口部９が上を向けば、台座部分８ａがバケット開口部９を塞ぐ（図３）。この時、バケット２上部で開口部９に近い部分は、前記の、台座部分８ａの内側となり、かつ、図４に示すように、蓋の台座部分８ａのパワーショベル本体寄りの一辺に少なくとも一つ設けられた凹部分１１が、バケット開口部９の先端の、少なくとも一つ設けられた爪状の突起物１２の根元部分と嵌合することによって、同蓋によるバケットの被覆性が高まる。又、蓋の台座部分８ａが、上板部８ａ−ａの下で側面部８ａ−ｂに囲われた部分に、前記の空洞部分を持つこと、及び、バケット２の開口部９に近い部分が、蓋の台座部分８ａの内側になることから、バケットの開口部９を蓋８によって塞ぐことによる、利用可能なバケット容量の、一時的な減少量を抑えることができる。【００１１】  次に本実施例の作用について説明する。先ず、バケットシリンダー５が伸縮すると、その伸縮がＨリング３及びメガネリング４を介し、バケット２に伝わる。そうすると、バケット２が図１の矢印６に示すような弧を描くように傾動し、掘削作業や浚渫作業等を行うことができる。バケット２に土砂等がたまった状態になれば、バケットシリンダー５を伸ばすことにより、その動きがＨリング３及びメガネリング４を介してバケット２に伝わり、バケット２が傾動して、バケット２の開口部９が上を向く。蓋８の台座部分８ａは、蓋８の四角錐部分��ｂにより適切な角度でアーム部分７に取り付けられているために、バケット２の開口部９が蓋８の台座部分８ａによって塞がれる。このとき、バケット２の開口部９の先端にある、少なくとも一つの突起物１２の根元が、蓋８ａのパワーショベル本体寄りの下辺に設けた少なくとも一つの凹部分１１に嵌合し、バケットの被覆性が高まる。
バケット開口部９が塞がれることにより、バケットにのせられた土砂等が不必要な場所にこぼれないように、土砂等の積み込み場所や土捨て場等へ移動させることができる。これらの動作を繰り返すことにより、土砂等を不必要な場所へこぼす量を減らしつつ、掘削作業や浚渫作業等を行うことができる。【００１２】  第５図は、他の実施例を示す。第５図に示すように、バケット開口部の蓋８の上部を、アーム１の先端側下面に、連結リング１３を介して取り付け、蓋８の一端側上部より連結リング１４を突設し、アーム１の下面側に、中間部を支点軸１５により枢支した連結リング１６の下端と、前期連結リング１４との間にリング１７を付け、メガネリング４の下端と連結リング１６の上端との間にリング１８を介して構成させる。【００１３】  メガネリング４、連動リング１６が回動しながら、蓋８を連結リング１３を中心に回動させることになり、上向きになったバケットの開口部９が、蓋８によりふさがれる。この時、図４と同様に、バケット先端の爪状の突起物１２と、蓋８に設けられた凹部１１が嵌合することにより、バケット２の被覆性が高まる。
【図面の簡単な説明】
【００１４】
【図１】本発明の一実施形態を示すパワーショベルの、アーム先端部より先の斜視図である。
【図２】本発明の一実施形態を示すパワーショベルの、アーム先端部より先の斜視図である。
【図３】本発明の一実施形態を示すパワーショベルの、アーム先端部より先の側面図である。
【図４】本発明の一実施形態を示すパワーショベルの、アーム先端部より先の斜視図である。
【図５】他の実施例を示す斜視図である。
【符号の説明】
１  アーム
２  バケット
３  Ｈリング
４  メガネリング
５  バケットシリンダー
６  弧を示す矢印
７  アーム１とバケット２の接合部のパワーショベル本体寄りのアーム部分
８  蓋
８ａ  蓋の台座部分
８ａ−ａ  蓋の台座部分の上板部分
８ａ−ｂ  蓋の台座部分の側面部分
８ｂ  蓋の四角錐部分
８ｃ  蓋の翼状部分
９  バケット開口部
１０  結合具
１１  蓋の台座部分に設けられた凹部分
１２  バケット開口部先端の爪状の突起部分
１３  連結リング
１４  連結リング
１５  支点軸
１６  連結リング
１７  リング
１８  リング
【図１】
2005330793.tif 000003
【図２】
2005330793.tif 000004
【図３】
2005330793.tif 000005
【図４】
2005330793.tif 000006
【図５】
2005330793.tif 000007